(57)【要約】【課題】直流電源用コンセントの差込プラグ受けは、正極側ならびに負極側の各一対の金属片が等長であって、差込プラグを通電中に引き抜くとアークが発生し人体および電気機器に損傷を生じさせる危険がある。【解決手段】直流電源１１に接続される正極端１６にはソレノイドコイル１７が接続され、このソレノイドコイル１７で駆動される可動係止部材１９が差込プラグの正極側栓刃２２に設けられた係止切欠部２３中に挿入され、通電状態では可動係止部材１９が差込プラグをロックする。これにより通電中に差込プラグを引き抜くことによるアーク発生を防止する。【選択図】    図１
2004158332.tif 000002
【特許請求の範囲】
【請求項１】
直流電源に接続されたソレノイドコイルと、このソレノイドコイルにより駆動される可動係止部材と、差込プラグの栓刃の前記可動係止部材に対向する位置に形成された係止切欠部とを具備し、前記ソレノイドコイルに規定値以上の電流が流れると前記可動係止部材が前記係止切欠部に挿入されることを特徴とする直流電源用コンセント接続機構。
【請求項２】
前記可動係止部材の先端は鋭角状に形成されていることを特徴とする請求項１記載の直流電源用コンセント接続機構。
【発明の詳細な説明】
【０００１】
【発明の属する技術分野】
本発明は、直流電源用コンセントに接続され通電状態にある差込プラグが引き抜かれないようにした直流電源用コンセント接続機構に関する。
【０００２】
【従来の技術】
インフォーメーションテクノロジーなどの進歩によるＯＡ機器や電化製品の増加により、高信頼性電源確保の要求がある。また、大量エネルギー消費抑制のため、直流給電方式が採用されている。ＯＡ機器や電化製品などの電気機器への直流電源は、直流電源用コンセントに接続された差込プラグを介して供給される。図３により代表的なコンセント３１の構成を説明する。すなわち、コンセント３１の差込プラグ受けは、一般に、正極側および負極側とも各々、相対する等長の金属片３２ａ、３２ｂならびに３３ａ、３３ｂで差込プラグ受けを構成し、差し込まれた差込プラグ３４、３５の栓刃を所定の位置で支持固定し直流電源３６によって電気機器３７に通電する構成である。
【０００３】
また、抜け止め付きコンセントの導電栓刃受孔および接地栓刃受孔を小さく形成し、コンセントの内部へのホコリ侵入が少なくなり火災発生の可能性を少なくする技術が知られている。（例えば、特許文献１参照）。他に、誤って電源仕様の異なる電源ユニットを装着しようとしても電気的接続が達成されず、電気製品が作動しないようにした技術も知られている。（例えば、特許文献２参照）。
【０００４】
【特許文献１】
特開２０００−３４０２８６号公報
【特許文献２】
特開平８−５５６５２号公報
【０００５】
【発明が解決しようとする課題】
ＯＡ機器や電化製品などに直流電源用コンセントから差込プラグを通して直流電源供給を行い負荷がかかり直流電流が流れている場合に、故意あるいは不本意に差込プラグを引き抜くかまたは引き抜かれた時は、両極側の相対する差込プラグ受けを構成している金属片と差込プラグ栓刃との接触部分が同時に切り離されるため、直流電源であるが故に、アークの発生の可能性があり、人体および機器に損傷を生じさせる危険があった。また、特許文献１、特許文献２によっても、通電中に差込プラグが引き抜かれると上述したようなアークの発生が起こり、人体および機器に損傷を生じさせる危険があった。
【０００６】
本発明は、直流電源用コンセントに接続され通電状態にある差込プラグが引き抜かれないようにした直流電源用コンセント接続機構を提供することを目的とする。
【０００７】
【課題を解決するための手段】
上記課題を解決するために本発明に係わる直流電源用コンセント接続機構は、直流電源に接続されたソレノイドコイルと、このソレノイドコイルにより駆動される可動係止部材と、差込プラグの栓刃の前記可動係止部材に対向する位置に形成された係止切欠部とを具備し、前記ソレノイドコイルに規定値以上の電流が流れると前記可動係止部材が前記係止切欠部に挿入されることを要旨とする。
【０００８】
さらに本発明に係わる直流電源用コンセント接続機構は、前記可動係止部材の先端が鋭角状に形成されていることを要旨とする。
【０００９】
【発明の実施の形態】
以下に本発明に係わる実施の形態を図を参照して説明する。直流電源１１に接続されているコンセント１２は、負極端１３に一対の等長金属片１４、１５が接続されている。直流電源１１の正極端１６はソレノイドコイル１７の一端に接続され、ソレノイドコイル１７の他端は金属片１８に接続されている。ソレノイドコイル１７の中心には可動係止部材１９が装着されている。この可動係止部材１９、ソレノイドコイル１７に規定値以上の電流が流れると上方すなわち金属片１８へ向かって駆動され、ソレノイドコイル１７の電流が規定値より低下すると下方すなわち金属片１８から離れる方向に戻る。可動係止部材１９の駆動状況は両矢印２０にて示してある。また、可動係止部材１９の先端は鋭角状に形成されている。
【００１０】
差込プラグの負極側栓刃２１は両面平坦の通常の形状であるが、正極側栓刃２２は、金属片１８に接する上面は平坦にされているが、下面には断面三角形状の係止切欠部２４が形成されている。正極側栓刃２２、負極側栓刃２１は負荷となる電気機器２５に接続されている。
【００１１】
さて、上述したような構成の直流電源用コンセントにて、差込プラグが挿入されていない状態、すなわち、通電されていない状態ではソレノイドコイル１７には電流が流れておらず、可動係止部材１９は下方に引き下げられている。この状態で差込プラグの正極側栓刃２２、負極側栓刃２１をコンセント１２へ挿入する場合には、ソレノイドコイル１７が駆動しておらず、可動係止部材１９が下方位置に戻っているため、両栓刃２３、２２はコンセント１２の所定位置まで挿入される。
【００１２】
直流電源１１から電気機器２４へ通電され、ソレノイドコイル１７に規定値以上の電流が流れると、このソレノイドコイル１７の作動により可動係止部材１９が上方すなわち対向する金属片１８の方向へ駆動される。上昇した可動係止部材１９は、図１に示す如く、正極側栓刃２２に形成された係止切欠部２３中に挿入され、通電中はこの状態を維持する。
【００１３】
この結果、通電中に誤って差込プルグを引き抜こうとしても正極側栓刃２２の係止切欠部２３に挿入されている可動係止部材１９によって強制的にロックされ、差込プラグの引き抜きは防止される。
【００１４】
直流電源１１から電気機器２５への通電を停止したり規定値より低下した電流になった場合には、ソレノイドコイル１７を流れる電流が減少し、ソレノイドコイル１７が作動しなくなり、可動係止部材１９は下方すなわち対向する金属片１８から離れる方向に戻る。この結果、正極側栓刃２２の係止切欠部２３から可動係止部材１９が離れ、正極側栓刃２２のロックは解除され、差込プラグの引き抜きが可能となる。このようにして差込プラグが通電状態にあるときは、引き抜きが強制的に抑止され、通電が停止あるいは規定値より低下した電流になったときには、ロックを解除するように構成したため、アークの発生を防止することが可能となった。
【００１５】
【発明の効果】
上述したような本発明に係わる直流電源用コンセント接続機構により、電気機器２５へ通電中においては差込プラグの栓刃が強制的にロックされ、通電が停止あるいは規定値より低下した電流になると、このロックが解除されアークの発生を防止することができ、人体および電気機器２５への損傷を防ぐことが可能となった。
【図面の簡単な説明】
【図１】本発明に係わる直流電源用コンセント接続機構を示す構成図。
【図２】従来の直流電源用コンセント接続機構を示す構成図。
【符号の説明】
１１…直流電源
１２…コンセント
１３…負極端
１４、１５…等長金属片
１６…正極端
１７…ソレノイドコイル
１８…金属片
１９…可動係止部材
２０…両矢印
２１…負極側栓刃
２２…正極側栓刃
２３…係止切欠部
２４…電気機器
【図１】
2004158332.tif 000003
【図２】
2004158332.tif 000004